(57)【要約】【課題】プリーツ部分と非プリーツ部分との境界が際立つように、織物に部分的にプリーツ加工を施すことが可能なプリーツ製品の製造方法およびこれに用いられるプリーツ製品用織物の提供。【解決手段】縦糸２および横糸３の一方を良プリーツ性糸とし、他方を難プリーツ性糸としたプリーツ製品用織物１の一部を、縦糸２および横糸３に対して傾斜した折目線４に沿って折り重ね、縦糸２または横糸３の通り方向に折目線４上までプリーツ加工を施した後、プリーツ製品用織物１を開いて洗濯する。折り重ね部分の一方の面の良プリーツ性糸の通り方向に対してのみ有効なプリーツが形成され、もう一方の面の難プリーツ性糸の通り方向に対しては有効なプリーツは形成されず、難プリーツ性糸の通り方向のプリーツは洗濯工程によって消えて非プリーツ部分５ｂとなり、良プリーツ性糸の通り方向に形成されたプリーツは折目線までしっかりと形成されたプリーツ部分５ａとなる。【選択図】図６
2004339671.tif 000002
【特許請求の範囲】
【請求項１】
縦糸および横糸のいずれか一方を良プリーツ性糸とし、他方を難プリーツ性糸としたプリーツ製品用織物の一部を、前記縦糸および横糸に対して傾斜した折目線に沿って折り重ね、
前記縦糸または横糸の通り方向に前記折目線上までプリーツ加工を施した後、
前記織物を開いて洗濯する
プリーツ製品の製造方法。
【請求項２】
複数枚の前記プリーツ製品用織物を、前記縦糸および横糸の通り方向が変わるように縫い合わせた後、前記縦糸および横糸に対して傾斜した折目線に沿って折り重ねてから前記プリーツ加工を施すことを特徴とする請求項１記載のプリーツ製品の製造方法。
【請求項３】
前記プリーツ製品用織物の一部を前記縦糸および横糸に対して傾斜した折目線に沿って繰り返し折り重ねてから前記プリーツ加工を施すことを特徴とする請求項１または２に記載のプリーツ製品の製造方法。
【請求項４】
前記折目線の傾斜は、前記縦糸および横糸に対して４５°であることを特徴とする請求項１から３のいずれかに記載のプリーツ製品の製造方法。
【請求項５】
前記難プリーツ性糸が、レーヨン糸、アクリル糸または天然繊維糸のいずれかである請求項１から４のいずれかに記載のプリーツ製品の製造方法。
【請求項６】
縦糸および横糸のいずれか一方を良プリーツ性糸とし、他方を難プリーツ性糸としたプリーツ製品用織物。
【請求項７】
複数枚の前記プリーツ製品用織物を、前記縦糸および横糸の通り方向が変わるように縫い合わせた請求項６記載のプリーツ製品用織物。
【請求項８】
前記難プリーツ性糸が、レーヨン糸、アクリル糸または天然繊維糸のいずれかである請求項６または７に記載のプリーツ製品用織物。
【発明の詳細な説明】
【技術分野】
【０００１】
本発明は、織物に部分的にプリーツ加工を施したプリーツ製品の製造方法およびこれに用いられるプリーツ製品用織物に関する。
【背景技術】
【０００２】
生地に折り目を付ける加工として、プリーツ加工が広く知られている。このプリーツ加工は、ブラウス、ワンピースやスカート等の衣服に施され、ほどよい陰影を衣服に表現できるほか、柔軟性があるため寸法的に余裕のない衣服を身に着けた場合でも窮屈な感じがしない等の利点がある。
【０００３】
プリーツ加工を施した衣服を作る場合、平らな面に予めプリーツ加工した生地を所定の形状および寸法に裁断するか、予め所定の形状および寸法に裁断した生地にプリーツ加工を施すかして、縫製を行う。あるいは、特許文献１に記載のように、縫製前ではなく、縫製後にプリーツ加工を施す方法もある。
【０００４】
また、特許文献１には、部分的なプリーツ加工は、左部分のプリーツ加工を行ってからプリーツ機械を反転してＴ−シャツを一旦取り出し、右部分を先にしてプリーツ機械に再度かけることにより行えることが記載されている。また、中央の平坦なプリーツ型を使えば、プリーツ機械を反転させることなく、部分的なプリーツ加工が行えるとの記載もある。
【０００５】
【特許文献１】特開平５−９３３６４号公報（第２頁右欄、図２）
【発明の開示】
【発明が解決しようとする課題】
【０００６】
ところが、プリーツ機械の反転や、中央の平坦なプリーツ型を使う方法では、プリーツ部分と非プリーツ部分との境界が際立つように加工するのは難しい。このような加工は従来不可能とされてきた。プリーツ部分と非プリーツ部分との境界が、プリーツ型の縁の挟み込みの状態によって決まるためである。
【０００７】
そこで、本発明においては、プリーツ部分と非プリーツ部分との境界が際立つように、織物に部分的にプリーツ加工を施すことが可能なプリーツ製品の製造方法およびこれに用いられるプリーツ製品用織物を提供することを目的とする。
【課題を解決するための手段】
【０００８】
本発明のプリーツ製品の製造方法は、縦糸および横糸のいずれか一方を良プリーツ性糸とし、他方を難プリーツ性糸としたプリーツ製品用織物の一部を、縦糸および横糸に対して傾斜した折目線、望ましくは４５°傾斜した折目線に沿って折り重ね、縦糸または横糸の通り方向に折目線上までプリーツ加工を施した後、織物を開いて洗濯するものである。
【０００９】
本発明のプリーツ製品の製造方法によれば、縦糸および横糸のいずれか一方を良プリーツ性糸とし、他方を難プリーツ性糸としたプリーツ製品用織物の一部を、縦糸および横糸に対して４５°傾斜した折目線に沿って折り重ねることによって、この折り重ねられた部分では、一方の面の織物の良プリーツ性糸の通り方向ともう一方の面の織物の難プリーツ性糸の通り方向とが互いに一致する。すなわち、このプリーツ製品用織物の折り重ねられた部分では、一方の面の織物では良プリーツ性糸の通り方向とプリーツの折り目の形成方向とが一致し、もう一方の面の織物では難プリーツ性糸の通り方向とプリーツの折り目の形成方向とが一致することになる。
【００１０】
そのため、この折り重ねられた状態で縦糸または横糸の通り方向に折目線上までプリーツ加工を施すと、折り重ねられた部分の一方の面の織物の良プリーツ性糸の通り方向に対してのみ有効なプリーツの折り目が形成され、もう一方の面の織物の難プリーツ性糸の通り方向に対しては有効なプリーツの折り目が形成されない。そして、難プリーツ性糸の通り方向のプリーツの折り目は次の洗濯工程によって消えて非プリーツ部分となり、良プリーツ性糸の通り方向に形成されたプリーツの折り目は折目線までしっかりと形成されたプリーツ部分となる。これにより、プリーツ部分と非プリーツ部分との境界が折目線の部分で際立ったプリーツ製品が形成される。
【００１１】
ここで、プリーツ製品用織物の一部を縦糸および横糸に対して４５°傾斜した折目線に沿って繰り返し折り重ねてからプリーツ加工を施すものとすれば、この繰り返し折り重ねた部分については、さらに良プリーツ性糸の通り方向とプリーツの折り目の形成方向とが一致する場合と、難プリーツ性糸の通り方向とプリーツの折り目の形成方向とが一致する場合とがある。そのため、この折り重ねられた状態で縦糸または横糸の通り方向に折目線上までプリーツ加工を施すと、上記のようにプリーツ部分と非プリーツ部分との境界が折目線の部分で際立つうえ、プリーツ部分と非プリーツ部分とが交互に配置されたプリーツ製品が形成される。
【００１２】
また、複数枚のプリーツ製品用織物を、縦糸および横糸の通り方向が変わるように縫い合わせた後、縦糸および横糸に対して４５°傾斜した折目線に沿って折り重ねてからプリーツ加工を施すものとすれば、縦糸および横糸に対して４５°傾斜した折目線に沿って折り重ねた際、この折り重ね部分のそれぞれの面に、良プリーツ性糸の通り方向とプリーツの折り目の形成方向とが一致する部分と、難プリーツ性糸の通り方向とプリーツの折り目の形成方向とが一致する部分とが混在することになる。
【００１３】
そして、この折り重ねられた状態で縦糸または横糸の通り方向に折目線上までプリーツ加工を施すと、折り重ね部分のそれぞれの面に有効なプリーツの折り目が形成される部分と、有効なプリーツの折り目が形成されない部分との両方が、複数枚のプリーツ製品用織物の縫い合わせ部分を境界として形成される。そのため、プリーツ部分と非プリーツ部分との境界が折目線の部分だけでなくこの縫い合わせ部分でも際立ったプリーツが形成される。
【００１４】
さらに、この複数枚のプリーツ製品用織物を縦糸および横糸の通り方向が変わるように縫い合わせたものに対し、プリーツ製品用織物の一部を縦糸および横糸に対して４５°傾斜した折目線に沿って繰り返し折り重ねてからプリーツ加工を施すものとすれば、有効なプリーツ部分と有効でないプリーツ部分とが縫い合わせ部分を境界として交互に配置されるうえ、繰り返し折り重ねた部分では有効なプリーツが形成される方向が異なるため、プリーツの折り目が一面上に異なる方向に形成されたプリーツが形成される。
【００１５】
なお、折目線の傾斜を、上記のように縦糸および横糸に対して４５°とすれば、有効でないプリーツ部分の折り目は洗濯によって完全に消えるが、この傾斜は必ずしも４５°とする必要はない。傾斜が４５°でない場合は、有効でないプリーツ部分の折り目は完全に消えることなく、軽くプリーツが残った状態となる。また、傾斜が４５°でない場合であっても、折り重ねてからプリーツ加工を施しているため、プリーツ部分と非プリーツ部分とでプリーツの方向が異なり、その境界はしっかりと際立つようになる。また、有効なプリーツ部分にしっかりと形成されたプリーツと有効でないプリーツ部分に形成された軽いプリーツとの境界が、そのプリーツの強弱により折目線の部分でしっかりと際立つようになる。
【００１６】
ここで、良プリーツ性糸とは、通常プリーツを形成する織物に用いられるポリエステルのようなプリーツが付きやすい糸をいう。一方、難プリーツ性糸とは、プリーツが付きにくい糸をいう。プリーツが付きにくい糸としては、レーヨン糸、アクリル糸の他、綿糸、麻糸や毛糸などの天然繊維の糸を用いることができる。
【発明の効果】
【００１７】
（１）縦糸および横糸のいずれか一方を良プリーツ性糸とし、他方を難プリーツ性糸としたプリーツ製品用織物の一部を、縦糸および横糸に対して傾斜した折目線に沿って折り重ね、縦糸または横糸の通り方向に折目線上までプリーツ加工を施した後、織物を開いて洗濯することにより、従来不可能とされてきたプリーツ部分と非プリーツ部分との境界が折目線の部分で際立ったプリーツを形成することが可能となる。これにより、プリーツ部分と非プリーツ部分とを一枚の生地に混在させ、かつその境界を際立たせためり張りのあるプリーツ製品を得ることができる。
【００１８】
（２）プリーツ製品用織物の一部を縦糸および横糸に対して傾斜した折目線に沿って繰り返し折り重ねてからプリーツ加工を施すことにより、プリーツ部分と非プリーツ部分とを一枚の生地に交互に混在させ、かつその境界を際立たせたプリーツ製品を得ることができる。
【００１９】
（３）複数枚のプリーツ製品用織物を、縦糸および横糸の通り方向が変わるように縫い合わせた後、縦糸および横糸に対して傾斜した折目線に沿って折り重ねてからプリーツ加工を施すことにより、プリーツ部分と非プリーツ部分とを一枚の生地に混在させ、かつその境界を縦糸および横糸に対して傾斜した折目線上だけでなく、縫い合わせ部分でも際立たせためり張りのあるプリーツ製品を得ることができる。
【００２０】
（４）さらに、この複数枚のプリーツ製品用織物を縦糸および横糸の通り方向が変わるように縫い合わせたものに対し、プリーツ製品用織物の一部を縦糸および横糸に対して傾斜した折目線に沿って繰り返し折り重ねてからプリーツ加工を施すものとすれば、プリーツの折り目を一面上に異なる方向に形成し、かつプリーツ部分と非プリーツ部分とが一枚の生地に交互に混在させ、さらにその境界を縦糸および横糸に対して傾斜した折目線上だけでなく、縫い合わせ部分でも際立たせためり張りのあるプリーツ製品を得ることができる。
【００２１】
（５）折目線の傾斜を、縦糸および横糸に対して４５°とすることで、有効でないプリーツ部分の折り目を完全に消し、プリーツ部分と非プリーツ部分とでプリーツの有無によりその境界を際立たせためり張りのあるプリーツ製品を得ることができる。
【００２２】
（６）上記折目線の傾斜を、縦糸および横糸に対して４５°としない場合、有効でないプリーツ部分の折り目を完全に消すことなく、非プリーツ部分に軽くプリーツを残した状態としつつ、プリーツ部分と非プリーツ部分とでプリーツの方向および強弱によりその境界を際立たせためり張りのあるプリーツ製品を得ることができる。
【発明を実施するための最良の形態】
【００２３】
（実施の形態１）
図１は本発明の第１の実施の形態におけるプリーツ製品用織物の平面図である。
図１に示すプリーツ製品用織物１は、縦糸２と横糸３が１対１で交差している平織りの布である。縦糸２は、キュプラ（銅アンモニアレーヨン）やビスコースレーヨンなどのレーヨンの糸である。レーヨンの糸は、プリーツが付きにくいという性質（難プリーツ性）を持つ。一方、横糸３は、通常のプリーツ加工製品によく用いられるポリエステルの糸である。ポリエステルの糸は、プリーツが付きやすいという性質（良プリーツ性）を持つ。
【００２４】
このようなプリーツ製品用織物１では、以下の方法により部分的にプリーツ加工を施す。図２から図７は図１のプリーツ製品用織物１のプリーツ加工方法を示す説明図である。なお、図２から図７において最終的にプリーツを形成する部分をプリーツ部分５ａで示し、最終的にプリーツを形成しない部分を非プリーツ部分５ｂで示す。
【００２５】
まず、図２に示すように、プリーツ製品用織物１において非プリーツ部分（図２右上方の直角二等辺三角形部分）５ｂを、縦糸２および横糸３に対して４５°傾斜した折目線４に沿って、プリーツ部分５ａの手前に折り重ねる。図３は、折り重ね後の状態を示している。なお、図３以降の図では、縦糸２および横糸３の図示を省略しているが、図の縦方向に縦糸２、横方向に横糸３がそれぞれ通っていることに変わりはない。
【００２６】
図４はプリーツ製品用織物１の折り重ね部分の拡大図であって、（ａ）は図３の奥側のプリーツ部分５ａの縦糸２と横糸３の交差状態を示し、（ｂ）は図３の手前側の非プリーツ部分５ｂの縦糸２と横糸３の交差状態を示している。図４に示すように、折目線４に沿って折り重ねられた部分では、（ａ）の面（プリーツ部分５ａ）の縦糸２（難プリーツ性糸）の通り方向と（ｂ）の面（非プリーツ部分５ｂ）の横糸３（良プリーツ性糸）の通り方向とが一致し、（ａ）の面（プリーツ部分５ａ）の横糸３（良プリーツ性糸）の通り方向と（ｂ）の面（非プリーツ部分５ｂ）の縦糸２（難プリーツ性糸）の通り方向とが一致する。
【００２７】
次に、図５に示すように、この折り重ね状態でプリーツ製品用織物１のプリーツ部分５ａの横糸３の通り方向に、折目線４上までプリーツ部分５ａおよび非プリーツ部分５ｂのすべてにプリーツ加工を施す。図５の縦の実線はプリーツの折り目の山６ａを、縦の破線はプリーツの折り目の谷６ｂをそれぞれ示している。そして、図６に示すように折り重ね部分を開いて洗濯する。洗濯は、単なる水洗い、水に石けんや合成洗剤などの各種洗剤を用いて行うランドリー、あるいは、揮発性溶剤を用いるドライクリーニングのいずれでもよい。
【００２８】
プリーツ加工の際、プリーツ製品用織物１の折り重ね部分では、奥側のプリーツ部分５ａの横糸３（良プリーツ性糸）の通り方向とプリーツの折り目の山６ａ・谷６ｂの形成方向（図５および図６の横方向）とが一致し、手前側の非プリーツ部分５ｂの縦糸２（難プリーツ性糸）の通り方向とプリーツの折り目の山６ａ・谷６ｂの形成方向（図５の横方向および図６の縦方向）とが一致している。
【００２９】
そのため、折り重ね部分の奥側のプリーツ部分５ａの横糸３（良プリーツ性糸）の通り方向に対してのみ有効なプリーツが形成されており、手前側の非プリーツ部分５ｂの縦糸２（難プリーツ性糸）の通り方向に対しては有効なプリーツは形成されておらず、洗濯によって図７に示すように非プリーツ部分５ｂの縦糸２（難プリーツ性糸）の通り方向のプリーツは消えてなくなる。一方、折り重ね部分の奥側のプリーツ部分５ａの横糸３（良プリーツ性糸）の通り方向に形成されたプリーツは折目線４までしっかりと山６ａ・谷６ｂが形成された状態となる。
【００３０】
以上のように、本実施形態におけるプリーツ製品用織物１を用い、この一部を縦糸２および横糸３に対して４５°傾斜した折目線４に沿って折り重ね、横糸３の通り方向に折目線４上までプリーツ加工を施した後、このプリーツ製品用織物１を開いて洗濯することにより、プリーツ部分５ａと非プリーツ部分５ｂとの境界が折目線４の部分で際立ったプリーツを形成することができる。このプリーツの形成は、縫製前に行っても、縫製後に行っても良い。
【００３１】
なお、本実施形態においては、プリーツ製品用織物１として平織りの布を例にとって説明したが、綾織りや朱子織りなど、縦糸２と横糸３とを一定の規則で交差させて作るものであればどのような織り方の布でもよい。
【００３２】
また、本実施形態においては、縦糸２を難プリーツ性の糸とし、横糸３を良プリーツ性の糸としているが、逆の構成とすることもできる。この場合、プリーツ製品用織物１のプリーツ部分５ａの縦糸２の通り方向にプリーツ加工を施せば、同じく非プリーツ部分５ｂを形成することができる。なお、折り重ね方向は、上記のようにプリーツ部分５ａの手前側ではなく、プリーツ部分５ｂの奥側としてもよい。
【００３３】
（実施の形態２）
図８は本発明の第２の実施の形態におけるプリーツ製品用織物の平面図である。
図８に示すプリーツ製品用織物１１は、図１のプリーツ製品用織物１と同様、縦糸１２と横糸１３とが１対１で交差している平織りの布である。但し、図１のプリーツ製品用織物１と異なるのは、縦糸１２を良プリーツ性のポリエステルの糸とし、横糸１３を難プリーツ性のレーヨンの糸とした点である。
【００３４】
図９から図１２は本実施形態におけるプリーツ加工方法を示す説明図である。なお、図９から図１２において最終的にプリーツを形成する部分をプリーツ部分１５ａ，１５ｂで示し、最終的にプリーツを形成しない部分を非プリーツ部分１５ｃで示す。
【００３５】
図９に示すように、プリーツ製品用織物１１においてプリーツ部分１５ａ，１５ｂを、縦糸１２および横糸１３に対して４５°傾斜した折目線１４ａ，１４ｂに沿って、非プリーツ部分１５ｃの手前に折り重ねる。図１０は折り重ね後の状態を示している。なお、図１０以降の図では、縦糸１２および横糸１３の図示を省略しているが、図の縦方向に縦糸１２、横方向に横糸１３がそれぞれ通っていることに変わりはない。
【００３６】
次に、図１１に示すように、この折り重ね状態でプリーツ製品用織物１１の非プリーツ部分１５ｃの横糸１３の通り方向に、折目線１４ａ，１４ｂ上までプリーツ部分１５ａ，１５ｂおよび非プリーツ部分１５ｃのすべてにプリーツ加工を施す。図１１の縦の実線はプリーツの折り目の山１６ａを、縦の破線はプリーツの折り目の谷１６ｂをそれぞれ示している。
【００３７】
そして、折り重ね部分を開いて洗濯すると、図１２に示すように、プリーツ部分１５ａ，１５ｂの縦糸１２（良プリーツ性糸）の通り方向に形成されたプリーツは折目線１４ａ，１４ｂまでしっかりと山１６ａ・谷１６ｂが形成された状態となり、非プリーツ部分１５ｃの横糸１３（難プリーツ性糸）の通り方向のプリーツは消えてなくなる。
【００３８】
プリーツ部分１５ａ，１５ｂの縦糸１２（良プリーツ性糸）の通り方向とプリーツの折り目の山１６ａ・谷１６ｂの形成方向が一致し、非プリーツ部分１５ｃの横糸１３（難プリーツ性糸）の通り方向とプリーツの折り目の山１６ａ・谷１６ｂの形成方向が一致しており、プリーツ部分１５ａ，１５ｂの縦糸１２（良プリーツ性糸）の通り方向に対してのみ有効なプリーツが形成され、非プリーツ部分１５ｃの横糸１３（難プリーツ性糸）の通り方向に対しては有効なプリーツが形成されないためである。
【００３９】
なお、図１０の折り重ね後の状態でプリーツ製品用織物１１の非プリーツ部分１５ｃの縦糸１２の通り方向（図１１と直交する方向）に、折目線１４ａ，１４ｂ上までプリーツ部分１５ａ，１５ｂおよび非プリーツ部分１５ｃのすべてにプリーツ加工を施した場合には、図１３に示すように、プリーツ部分１７ａと非プリーツ部分１７ｂ，１７ｃとが逆転したものを得ることができる。
【００４０】
（実施の形態３）
図１４は本発明の第３の実施の形態におけるプリーツ製品の製造工程を示す図である。
図１４に示すプリーツ製品用織物２１は、図１のプリーツ製品用織物１と同様、図の水平方向の縦糸（図示せず。）を難プリーツ性のレーヨンの糸とし、図の垂直方向の横糸を良プリーツ性のポリエステルの糸としたものである。
【００４１】
本実施形態においては、まず図１４（ａ）に示すように、縦糸および横糸に対して４５°傾斜した折目線２２ａに沿って、プリーツ製品用織物２１の一部２３ａを図の手前側の右上に向かってに折り重ねる。次に、図１４（ｂ）に示すように、縦糸および横糸に対して４５°傾斜した折目線２２ｂに沿って、プリーツ製品用織物２１の一部２３ｂを図の手前側の左下に折り重ね、さらに図１４（ｃ），（ｄ）に示すように縦糸および横糸に対して４５°傾斜した折目線２２ｃ，２２ｄに沿って、繰り返しプリーツ製品用織物２１の一部２３ｃ，２３ｄを図の手前側の右上、左下に順次折り重ねる。
【００４２】
そして、図１４（ｅ）に示すように、この折り重ね状態でプリーツ製品用織物２１の横糸の通り方向に、折目線２２ａ，２２ｂ，２２ｃ，２２ｄまですべてプリーツ加工を施す。同図の縦の実線はプリーツの折り目の山２４ａを、縦の破線はプリーツの折り目の谷２４ｂをそれぞれ示している。その後、図１４（ｆ）に示すように折り重ね部分をすべて開いて洗濯する。
【００４３】
これにより、図１４（ｇ）に示すように、プリーツ部分２５ａ，２５ｂ，２５ｃと非プリーツ部分２６ａ，２６ｂとが交互に配置され、これらの境界が折目線２２ａ，２２ｂ，２２ｃ，２２ｄの部分で際立ったプリーツ製品が形成される。図１４（ｆ）に示すように、繰り返し折り重ねた部分については、良プリーツ性糸の通り方向とプリーツの折り目の形成方向とが一致する部分（プリーツ部分２５ａ，２５ｂ，２５ｃ）と、難プリーツ性糸の通り方向とプリーツの折り目の形成方向とが一致する部分（非プリーツ部分２６ａ，２６ｂ）とが存在するためである。
【００４４】
（実施の形態４）
図１５は本発明の第４の実施の形態におけるプリーツ製品の製造工程を示す図である。
図１５（ａ）に示すように、本実施形態におけるプリーツ製品用織物３１は、図１のプリーツ製品用織物１をその縦糸と横糸との通り方向が交互に変わるように３×３枚配置し、縫い合わせたものである。なお、図１５には良プリーツ性糸の通り方向のみを示している。難プリーツ性糸の通り方向はこれと直交する方向である。
【００４５】
まず、図１５（ｂ）に示すように、縦糸および横糸に対して４５°傾斜した折目線３２ａに沿って、プリーツ製品用織物３１の一部３３ａを図の手前側の右上に折り重ねる。次に、図１５（ｃ）に示すように、縦糸および横糸に対して４５°傾斜した折目線３２ｂに沿って、プリーツ製品用織物の一部３３ｂを図の手前側の左下に折り重ねる。
【００４６】
そして、図１５（ｄ）に示すように、この折り重ね状態で図の横方向に、折目線３２ａ，３２ｂまですべてプリーツ加工を施す。同図の縦の実線はプリーツの折り目の山３４ａを、縦の破線はプリーツの折り目の谷３４ｂをそれぞれ示している。その後、図１５（ｅ）に示すように折り重ね部分をすべて開いて洗濯する。
【００４７】
これにより、図１５（ｆ）に示すように、プリーツ部分３５，３６と非プリーツ部分３７，３８とが交互に配置され、かつ同一面上のプリーツ部分３５，３６の折り目が異なる方向に形成されたプリーツ製品が形成される。さらに、このプリーツ製品では、その境界が折目線３２ａ，３２ｂ上だけでなく、縫い合わせ部分３９でも際立ったものとなる。プリーツ加工の形成方向が同じであっても、良プリーツ性糸の通り方向と難プリーツ性糸の通り方向とが同一面上で異なるためであり、さらに繰り返し折り重ねた部分については、良プリーツ性糸の通り方向とプリーツの折り目の形成方向とが一致する部分（プリーツ部分３５，３６）と、難プリーツ性糸の通り方向とプリーツの折り目の形成方向とが一致する部分（非プリーツ部分３７，３８）とが存在するためである。
【産業上の利用可能性】
【００４８】
本発明は、ブラウス、ワンピースやスカート等の衣服にプリーツ加工を施したプリーツ製品の製造に有用である。
【図面の簡単な説明】
【００４９】
【図１】本発明の実施の形態におけるプリーツ製品用織物の平面図である。
【図２】図１のプリーツ製品用織物のプリーツ加工方法を示す説明図である。
【図３】図１のプリーツ製品用織物のプリーツ加工方法を示す説明図である。
【図４】図１のプリーツ製品用織物のプリーツ加工方法を示す説明図であって、（ａ）は図３の奥側のプリーツ部分の縦糸と横糸の交差状態を示す拡大図、（ｂ）は図３の手前側の非プリーツ部分の縦糸と横糸の交差状態を示す拡大図である。
【図５】図１のプリーツ製品用織物のプリーツ加工方法を示す説明図である。
【図６】図１のプリーツ製品用織物のプリーツ加工方法を示す説明図である。
【図７】図１のプリーツ製品用織物のプリーツ加工方法を示す説明図である。
【図８】本発明の第２の実施の形態におけるプリーツ製品用織物の平面図である。
【図９】図８のプリーツ製品用織物のプリーツ加工方法を示す説明図である。
【図１０】図８のプリーツ製品用織物のプリーツ加工方法を示す説明図である。
【図１１】図８のプリーツ製品用織物のプリーツ加工方法を示す説明図である。
【図１２】図８のプリーツ製品用織物のプリーツ加工方法を示す説明図である。
【図１３】図８のプリーツ製品用織物のプリーツ加工方法を示す説明図である。
【図１４】本発明の第３の実施の形態におけるプリーツ製品の製造工程を示す図である。
【図１５】本発明の第４の実施の形態におけるプリーツ製品の製造工程を示す図である。
【符号の説明】
【００５０】
１，１１，２１，３１  プリーツ製品用織物
２，１２  縦糸
３，１３  横糸
４，１４ａ，１４ｂ，２２ａ，２２ｂ，２２ｃ，２２ｄ，３２ａ，３２ｂ  折目線
５ａ，１５ａ，１５ｂ，１７ａ，２５ａ，２５ｂ，２５ｃ，３５，３６  プリーツ部分
５ｂ，１５ｃ，１７ｂ，１７ｃ，２６ａ，２６ｂ，３７，３８  非プリーツ部分
６ａ，１６ａ，２４ａ，３４ａ  プリーツの折り目の山
６ｂ，１６ｂ，２４ｂ，３４ｂ  プリーツの折り目の谷
３９  縫い合わせ部分
【図１】
2004339671.tif 000003
【図２】
2004339671.tif 000004
【図３】
2004339671.tif 000005
【図４】
2004339671.tif 000006
【図５】
2004339671.tif 000007
【図６】
2004339671.tif 000008
【図７】
2004339671.tif 000009
【図８】
2004339671.tif 000010
【図９】
2004339671.tif 000011
【図１０】
2004339671.tif 000012
【図１１】
2004339671.tif 000013
【図１２】
2004339671.tif 000014
【図１３】
2004339671.tif 000015
【図１４】
2004339671.tif 000016
【図１５】
2004339671.tif 000017